(57)【要約】【課題】被転写品が、容器本体にヒンジを介して蓋体が一体的に連結されて構成されてその外周囲に不連続な箇所として隙間が存在する収納体であって、かつ転写シートをこのような収納体全体に対して定着させて一回の操作で転写を行う場合に、転写シートを隙間へも良好に密着させて、イメージを容器本体から蓋体にわたって一連に連続的に転写することが可能な加飾容器を提供する。【解決手段】昇華型インクによりイメージが印刷された転写シート１を、載置面２上に載置した立体形状の収納体３の外側に吸引作用で定着させて加熱することにより、転写シートからイメージが転写される加飾容器であって、立体形状の収納体は、容器本体４にヒンジ５を介して蓋体６が一体的に連結されて構成される。転写シートを定着させる吸引力を収納体の内部から加えるために、収納体には蓋体と容器本体との隙間から、載置面上の容器本体の底部へと連通する吸気通路７が形成される。【選択図】図３
2005200088.tif 000002
【特許請求の範囲】
【請求項１】
昇華型インクによりイメージが印刷された転写シートを、載置面上に載置した立体形状の収納体の外側に吸引作用で定着させた状態で加熱することにより、該転写シートからイメージが転写される加飾容器であって、上記立体形状の収納体は、容器本体にヒンジを介して蓋体が一体的に連結されて構成されるとともに、上記転写シートを定着させる吸引力を上記収納体の内部から加えるために、該収納体には上記蓋体と上記容器本体との隙間から、上記載置面上の該容器本体の底部へと連通する吸気通路が形成されることを特徴とする加飾容器。
【請求項２】
昇華型インクによりイメージが印刷された転写シートを、立体形状の収納体の外側に吸引作用で定着させた状態で加熱することにより、該転写シートからイメージが転写される加飾容器であって、上記立体形状の収納体は、容器本体にヒンジを介して蓋体が一体的に連結されて構成されることを特徴とする加飾容器。
【発明の詳細な説明】
【技術分野】
【０００１】
本発明は、被転写品が、容器本体にヒンジを介して蓋体が一体的に連結されて構成されてその外周囲に不連続な箇所として隙間が存在する収納体であって、かつ転写シートをこのような収納体全体に対して定着させて一回の操作で転写を行う場合に、転写シートを隙間へも良好に密着させて、イメージを容器本体から蓋体にわたって一連に連続的に転写することが可能であり、これにより意匠的に美麗に形成される加飾容器に関する。
【背景技術】
【０００２】
従来、昇華性インクで印刷した画像を被転写品に転写する技術として、例えば特許文献１が知られている。この特許文献１では、空気の排出口を設けた減圧用の密閉バッグ内に、下型上に設置するようにして、被転写品と画像を出力した印画紙とを配置し、真空ポンプで減圧して密閉バッグをしぼませた上で、上型を押し付けることにより転写を行うようにしていた。すなわち、印画紙を被転写品に定着させる際、密閉バッグをしぼませるが、その吸引作用はもっぱら被転写品の外回りにおいて行われるようになっていた。
【特許文献１】特開２０００−３０１８９７号公報
【発明の開示】
【発明が解決しようとする課題】
【０００３】
ところで、従来の技術にあっては上述したように、転写シートである印画紙を被転写品に定着させるにあたり、被転写品の外回りからのみ転写シートを吸引するようにしていた。被転写品の外周囲が一連に連続している場合には、このような吸引によっても相当の密着度で転写シートを被転写品に吸着させることができる。しかしながら、被転写品が２部品で構成されていて、例えば容器本体にヒンジを介して蓋体が一体的に連結されて構成されていて、被転写品全体として見た場合にその外周囲に不連続な箇所として隙間がある被転写品であって、かつこのような被転写品全体に転写シートを定着させて一回の操作で転写を行う場合には、被転写品の外回りからの吸引作用ではこの隙間に転写シートを密着させることは難しく、転写シートは容器本体と蓋体との間で浮いた状態となり、このためこのような２部品からなる被転写品に対しては、イメージを両部品にわたって一連に連続的に転写することが難しいという課題があった。
【０００４】
本発明は上記従来の課題に鑑みて創案されたものであって、被転写品が、容器本体にヒンジを介して蓋体が一体的に連結されて構成されてその外周囲に不連続な箇所として隙間が存在する収納体であって、かつ転写シートをこのような収納体全体に対して定着させて一回の操作で転写を行う場合に、転写シートを隙間へも良好に密着させて、イメージを容器本体から蓋体にわたって一連に連続的に転写することが可能であり、これにより意匠的に美麗な加飾容器を提供することを目的とする。
【課題を解決するための手段】
【０００５】
本発明にかかる加飾容器は、昇華型インクによりイメージが印刷された転写シートを、載置面上に載置した立体形状の収納体の外側に吸引作用で定着させた状態で加熱することにより、該転写シートからイメージが転写される加飾容器であって、上記立体形状の収納体は、容器本体にヒンジを介して蓋体が一体的に連結されて構成されるとともに、上記転写シートを定着させる吸引力を上記収納体の内部から加えるために、該収納体には上記蓋体と上記容器本体との隙間から、上記載置面上の該容器本体の底部へと連通する吸気通路が形成されることを特徴とする。
【０００６】
また、本発明にかかる加飾容器は、昇華型インクによりイメージが印刷された転写シートを、立体形状の収納体の外側に吸引作用で定着させた状態で加熱することにより、該転写シートからイメージが転写される加飾容器であって、上記立体形状の収納体は、容器本体にヒンジを介して蓋体が一体的に連結されて構成されることを特徴とする。
【発明の効果】
【０００７】
本発明にかかる加飾容器にあっては、被転写品が、容器本体にヒンジを介して蓋体が一体的に連結されて構成されてその外周囲に不連続な箇所として隙間が存在する収納体であって、かつ転写シートをこのような収納体全体に対して定着させて一回の操作で転写を行う場合に、転写シートを隙間へも良好に密着させることができて、イメージを容器本体から蓋体にわたって一連に連続的に転写することが可能であり、これにより意匠的に美麗に形成することができる。
【発明を実施するための最良の形態】
【０００８】
以下に、本発明にかかる加飾容器の好適な一実施形態を、添付図面を参照して詳細に説明する。本実施形態にかかる加飾容器は基本的には、図１〜図４に示すように、昇華型インクによりイメージが印刷された転写シート１を、載置面２上に載置した立体形状の収納体３の外側に吸引作用で定着させた状態で加熱することにより、転写シート１からイメージが転写される加飾容器であって、立体形状の収納体３は、容器本体４にヒンジ５を介して蓋体６が一体的に連結されて構成されるとともに、転写シート１を定着させる吸引力を収納体３の内部から加えるために、収納体３には蓋体６と容器本体４との隙間から、載置面２上の容器本体４の底部へと連通する吸気通路７が形成されて構成される。
【０００９】
立体形状の収納体３は、容器本体４および蓋体６から構成される。容器本体４は、その外形輪郭を形成する環状周壁８を有し、容器本体４の後端部に位置する環状周壁８にはこれより後方へ突出させて左右一対のヒンジ片９が形成される。おおよそ平板状の蓋体６には、その後端部から垂下させてヒンジブロック１０が形成される。ヒンジブロック１０がヒンジ片９間に挿入されるとともに、これらヒンジブロック１０およびヒンジ片９相互にわたってヒンジピン１１が挿通されることにより、容器本体４にこれを開閉すべく回動される蓋体６を一体的に連結するヒンジ５が構成される。また、容器本体４および蓋体６には、それらの前端部間に、蓋体６による容器本体４の閉止状態を維持するためのフック１２が設けられる。
【００１０】
この種の加飾容器としては、例えば化粧用のコンパクト容器や眼鏡ケース、宝石箱、ピルケースなど各種のものが知られていて、どのようなものであっても本発明を適用することができる。本実施形態にあっては、このように一体的に連結され、フック１２で閉じられた状態の容器本体４および蓋体６からなる収納体３に対して、一回の操作で転写シート１からイメージが転写されるようになっている。
【００１１】
特に、容器本体４には、環状周壁８で囲んだ内部に、その本来の目的である収納物を収納するための空間として、収納凹所１３が形成される。収納凹所１３を取り囲む環状周壁８上には、これより立ち上げて周方向に環状突部１４が形成される。この環状突部１４は、蓋体６の下面に形成される環状当接面１５と当接される。従ってこれら互いに当接される環状突部１４と環状当接面１５との間、すなわち蓋体６とこれによって閉じられた容器本体４との間には、当該環状突部１４によって相当の隙間Ｇが形成される。この環状突部１４の適宜箇所にはこれを横切ってスリット１６が形成され、このスリット１６により、収納体３の外方となる蓋体６と容器本体４との間の隙間Ｇが収納凹所１３と連通される。このスリット１６は、吸気通路７の一部を構成する。
【００１２】
また、一対のヒンジ片９が形成された容器本体４後端部に位置する環状周壁８には、これを貫通させて、通気孔１７が形成される。この環状周壁８とヒンジブロック１０との間には、本来当該ヒンジブロック１０の回動を許容するために相当の間隙Ｓが環状周壁８の上下方向に沿って容器本体４の底部へ達して形成されていて、この通気孔１７により収納凹所１３と間隙Ｓとが連通される。この通気孔１７も、吸気通路７の一部を構成する。
【００１３】
一方、収納体３に転写操作を施すための転写装置１８について説明すると、この転写装置１８については、載置面２上において転写シート１と収納体３との間の空気を吸引する機能を備えるという意味では、何ら特殊な構造は必要なく、従来相当の装置構成でよい。図示例にあってはこの転写装置１８は、収納体３を載置する載置面２が形成された載置台１９と、転写シート１を担持するとともに、載置台１９に向かって昇降自在に設けられ、載置面２上まで下降されて転写シート１を収納体３の外側に被せるシート担持フレーム２０と、シート担持フレーム２０の上方に載置台１９に向かって昇降自在に設けられ、載置面２上のシート担持フレーム２０上まで下降されて、収納体３外側に被せられた転写シート１を当該シート担持フレーム２０との間に挟み込んで保持する保持フレーム２１と、載置面２上方に固定され、転写操作のために収納体３の外側に定着された状態の転写シート１を加熱する加熱装置２２とから構成される。
【００１４】
載置台１９には、転写シート１を吸引してその吸引作用で収納体３の外側に定着させるための吸引装置（図示せず）が接続された吸引通路２３が形成される。そして特にこの吸引通路２３は、通気孔１７によって収納凹所１３と連通された容器本体４底部に達する間隙Ｓに向かって形成される。図示例にあっては、吸引通路２３は、載置台１９を上下方向に貫通する上下孔部２３ａと、載置面１９に達した上下孔部２３ａの上端から間隙Ｓへ向かう水平溝部２３ｂとから構成されている。しかしながら、吸引通路２３は、間隙Ｓに直接達するように配置した上下孔部２３ａのみで構成してもよい。
【００１５】
すなわち、転写装置１８については、載置面２上から吸引するにあたり、容器本体４底部に達する間隙Ｓの位置に対応させて吸引通路２３が形成されていればよく、換言すれば、当該間隙Ｓが吸引通路２３に一致するように収納体３を配置すればよい。なお、昇華型インクによりイメージが印刷された転写シート１としては、従来周知のものを用いればよい。
【００１６】
本実施形態にかかる加飾容器の製造について説明すると、ヒンジ５で一体的に連結した蓋体６で容器本体４を閉じた状態の収納体３を載置台１９の載置面２に載置する。次いで、転写シート１を担持したシート担持フレーム２０を降下させて転写シート１を収納体３の外側に被せた後、保持フレーム２１を下降させて転写シート１を挟み込む。そしてこの後、吸引装置による吸引作用で転写シート１を収納体３に定着させる。この際、吸引作用は、吸引通路２３を介して通気通路７に及ぶことになる。
【００１７】
すなわち、水平溝部２３ｂが連通する間隙Ｓは通気孔１７を介して収納凹所１３に連通し、収納凹所１３はスリット１６を介して容器本体４と蓋体６との隙間Ｇに連通していて、収納体３と転写シート１との間に存在する空気は、隙間Ｇからスリット１６、収納凹所１３、通気孔１７、間隙Ｓを介して容器本体４の底部から吸引されることとなり、これにより転写シート１を、容器本体４や蓋体６の外側のみならず、それらの隙間Ｇへも良好に密着させることができる。この状態で、加熱装置２２により加熱して転写シート１に昇華型インクで印刷されているイメージを転写することにより、イメージを隙間Ｇを含めて、容器本体４から蓋体６にわたって一連に転写することができる。
【００１８】
そして本実施形態にかかる加飾容器は、容器本体４にヒンジ５を介して蓋体６が一体的に連結されて構成される立体形状の収納体３を対象として、イメージが容器本体４から蓋体６にわたって一連に連続的に転写されたものであり、意匠的に美麗なものである。
【００１９】
以上説明したように、本実施形態にかかる加飾容器によれば、昇華型インクによりイメージが印刷された転写シート１を、載置面２上に載置した立体形状の収納体３の外側に吸引作用で定着させた状態で加熱することにより、転写シート１からイメージが転写される加飾容器であって、容器本体４にヒンジ５を介して蓋体６が一体的に連結されて構成される立体形状の収納体３を対象として、転写シート１を定着させる吸引力を収納体３の内部から加えるために、収納体３に、蓋体６と容器本体４との隙間Ｇから、載置面２上の容器本体４の底部へと連通する吸気通路７を形成したので、外周囲に不連続な箇所として隙間Ｇが存在する収納体３であって、かつ転写シート１をこのような収納体３全体に定着させて一回の操作で転写を行う場合に、転写シート１を隙間Ｇへも良好に密着させることができて、イメージを容器本体４から蓋体６にわたって一連に連続的に転写することができる。
【００２０】
また、通気通路７が容器本体４の底部に達して形成されることから、この通気通路７が転写領域である収納体３の外観に現れることがなく、良好な加飾を施すことができる。
【図面の簡単な説明】
【００２１】
【図１】本発明にかかる加飾容器の好適な一実施形態を示す収納体の斜視図である。
【図２】図１に示す収納体の容器本体の斜視断面図である。
【図３】転写装置の載置面に、図１に示す収納体を載置した状態を示す側断面図である。
【図４】図３に示す転写装置において、吸引作用により図１の収納体に転写シートを定着させた状態を示す側断面図である。
【符号の説明】
【００２２】
１  転写シート
２  載置面
３  収納体
４  容器本体
５  ヒンジ
６  蓋体
７  吸気通路
Ｇ  蓋体と容器本体との隙間
【図１】
2005200088.tif 000003
【図２】
2005200088.tif 000004
【図３】
2005200088.tif 000005
【図４】
2005200088.tif 000006